(57)【要約】【課題】  準備作業中に落とした部品を短時間で見つけ出して拾うことができ、作業効率を向上させるようにした。【解決手段】  準備作業用カバー１は、真空容器１１と真空容器１１の内側に設けられ供試体１３を載せて固定するためのベースプレート１４とを備えた宇宙環境試験装置１０内において、宇宙環境試験の準備作業を行う際に使用される。準備作業用カバー１は、略中央に所定寸法の円形穴を形成してなるシート状のカバー本体２と、カバー本体２の外周部に取り付けられた固定紐４とを備え、ベースプレート１４より下側の所定領域を覆うように配置し、真空容器１１の内側の所定高さ位置に固定紐４を固定する。【選択図】    図２
2007099217.tif 000002
【特許請求の範囲】
【請求項１】
真空容器と該真空容器の内側に設けられ、供試体を載せて固定するためのベースプレートを備えた宇宙環境試験装置内において、宇宙環境試験の準備作業を行う際に使用される準備作業用カバーであって、
シート状のカバー本体と、前記カバー本体の外周部に取り付けられた固定紐とを備えていることを特徴とする宇宙環境試験装置における準備作業用カバー。
【請求項２】
前記カバー本体には、開口部が形成されていることを特徴とする請求項１に記載の宇宙環境試験装置における準備作業用カバー。
【請求項３】
前記カバー本体には、分離部が形成され、該分離部を開閉可能とする開閉手段が設けられていることを特徴とする請求項１又は２に記載の宇宙環境試験装置における準備作業用カバー。
【請求項４】
前記カバー本体は、高反射率の素材色に着色されていることを特徴とする請求項１乃至３のいずれかに記載の宇宙環境試験装置における準備作業用カバー。
【請求項５】
請求項１乃至４のいずれかに記載の準備作業用カバーの設置方法であって、
前記カバー本体によって前記ベースプレートより下側の所定領域を覆うように配置させ、前記固定紐を前記真空容器の内側の所定高さの位置に固定させるようにしたことを特徴とする準備作業用カバーの設置方法。
【発明の詳細な説明】
【技術分野】
【０００１】
本発明は、宇宙環境試験装置における準備作業用カバー及びその設置方法に関する。
【背景技術】
【０００２】
近年、人工衛星など多くの宇宙船が宇宙飛行している実情に伴い、宇宙空間を模擬して宇宙環境を再現した宇宙環境試験が行われている。この試験には、真空容器を備えた宇宙環境試験装置が使用されている（例えば、特許文献１参照）。
従来の宇宙環境装置では、ベースプレート（試験体テーブル）を真空容器内部の略中央に備え、ベースプレートの上部に供試体を固定している。そして、ベースプレートの下側には、真空排気口や多くの機器或いは計測ケーブルなどの配線類が設置されている。また、真空容器内の空間を冷暗黒とする場合には、真空容器の内側に内面を黒色に塗装したシュラウドを設置しているのが一般的である。
このように構成される宇宙環境試験装置において、試験準備段階では、例えば供試体をベースプレートに固定する際にボルト等の小さい部品を誤って落としてしまうことがある。その際、落としたボルトが思わぬ方向に跳ねて、ベースプレートの下方に設けられている真空排気口に侵入し、真空ポンプなどの装置を破損させる恐れがあった。このような問題が発生しないように真空排気口に蓋や詰め物をしてから準備作業をおこなっている。
【特許文献１】特開平７−１２５７００号公報
【発明の開示】
【発明が解決しようとする課題】
【０００３】
しかしながら、特許文献１などの従来の宇宙環境試験装置では、真空容器内部は狭く、ベースプレート下方はとくに機器類などが設置されていることから狭い空間となっているため、小さな部品がこのような狭小な空間に紛れ込んでしまうと、探しにくいうえ、拾い上げる作業が容易でないという欠点があった。
また、シュラウドは侵入光の乱反射が皆無であることから、作業中の照明による照射範囲が部分的となり、奥まった場所まで照度を確保することができないという欠点があった。
このようなことから、落とした部品を探すのに時間と手間がかかり、準備作業の効率を低下させるという問題があった。
【０００４】
本発明は、上述する問題点に鑑みてなされたもので、準備作業中に落とした部品を短時間で見つけ出して拾うことができ、作業効率を向上させるようにした宇宙環境試験装置における準備作業用カバー及びその設置方法を提供することを目的とする。
【課題を解決するための手段】
【０００５】
上記目的を達成するため、本発明に係る宇宙環境試験装置における準備作業用カバーでは、真空容器と真空容器の内側に設けられ、供試体を載せて固定するためのベースプレートを備えた宇宙環境試験装置内において、宇宙環境試験の準備作業を行う際に使用される準備作業用カバーであって、シート状のカバー本体と、カバー本体の外周部に取り付けられた固定紐とを備えていることを特徴としている。
また、本発明に係る準備作業用カバーの設置方法では、上述した準備作業用カバーの設置方法であって、カバー本体によってベースプレートより下側の所定領域を覆うように配置させ、固定紐を真空容器の内側の所定高さの位置に固定させるようにしたことを特徴としている。
このような特徴により、準備作業用カバーが簡易な構造であることから、宇宙環境試験装置内の空間において取り付け及び取り外しが簡単であり、準備作業前にカバー本体をベースプレートより下方に配置させ、さらにベースプレートより下側の所定領域を覆った状態でカバー本体の周囲を吊り上げて設置することが短時間で行える。これにより、例えば準備作業中にボルトなどの部品を落としたとき、この部品がカバー本体上に留まっていることになるため見つけることが容易となる。
【０００６】
また、本発明に係る宇宙環境試験装置における準備作業用カバーでは、カバー本体には、開口部が形成されていることが好ましい。
このような特徴により、例えばベースプレートが真空容器の内側下方より支持柱によって設置されている場合に、カバー本体の開口部を、支持柱に貫通させるようにして設置することができる。
【０００７】
また、本発明に係る宇宙環境試験装置における準備作業用カバーでは、カバー本体には、分離部が形成され、分離部を開閉可能とする開閉手段が設けられていることが好ましい。
この場合、開閉手段を解除してカバー本体を分離部で分離した状態で、ベースプレートの下面の部材（例えば真空容器の内側下方よりベースプレートを支持する支持柱など）に巻き付けるようにして配置し、その後で開閉手段によって分離部を閉めて準備作業用カバーを設置することができる。
【０００８】
また、本発明に係る宇宙環境試験装置における準備作業用カバーでは、カバー本体は、高反射率の素材色に着色されていることが好ましい。
この場合、カバー本体の反射によって照明の当った箇所の周囲の広範囲にわたって照度を確保することができることから、準備作業用カバー上に落ちているボルトなどの小さな部品が発見しやすくなる。
【発明の効果】
【０００９】
本発明の宇宙環境試験装置における準備作業用カバー及びその設置方法によれば、準備作業用カバーは、簡易な構成であるため、宇宙環境試験装置内の空間において取り付け及び取り外しが簡単であり、準備作業前にベースプレートより下の所定領域を短時間で覆うことができる。
そして、準備作業中において例えばボルトなどの部品を落としたときにこの部品はカバー本体上に落ちて留まっていることから容易に見つけることができ、拾うことができる。したがって、従来のベースプレート下方のように暗くて狭小且つ配管や機器類の配置により煩雑な領域に落とした部品が紛れ込むことがなくなり、探す手間を少なくできることから、作業効率を向上させることができる。
【発明を実施するための最良の形態】
【００１０】
以下、本発明の実施の形態による宇宙環境試験装置における準備作業用カバー及びその設置方法について、図１乃至図４に基づいて説明する。
図１は本発明の実施の形態による準備作業用カバーを示す平面図、図２は準備作業用カバーの設置状態を示す一部破断斜視図、図３は同じく設置状態を示す平面図、図４は同じく設置状態を示す正面図である。
【００１１】
図１に示す本実施の形態による準備作業用カバー１は、宇宙空間を模擬した環境を形成する宇宙環境試験装置１０（図２参照）に使用され、宇宙環境試験を行う前、あるいは試験後の準備作業時に設置されるものである。
準備作業用カバー１は、略中央に所定寸法の円形穴２ａ（開口部）を形成してなる平面視略四角形状をなすシート状のカバー本体２からなる。
このカバー本体２は、例えばクリーンルームなどで使用されるポリエチレンなどからなる無塵布製の材料が使用される。そして、カバー本体２の大きさは、例えば、真空容器の直径が１．０ｍで、ベースプレート１４（後述）の縦横寸法が０．５ｍ×０．５ｍである場合、２．０ｍ×２．０ｍの縦横寸法のものが使用される。なお、カバー本体２は、高反射率を有する白色などの素材色に着色されていることが好ましい。
【００１２】
そして、カバー本体２には、外周部２ｂ（図１に示す下方略中央）から円形穴２ａまでを開閉可能とするファスナ３（開閉手段）が具備され、本実施の形態では略四角形をなすカバー本体２の一辺の略中間部から円形穴２ａの間に設けられている。なお、カバー本体２のうちファスナ３が設けられて分離される箇所は、本発明における分離部に相当する。
そして、カバー本体２には、その外周部２ｂのうちカバー本体２の四方の角部と、上述したファスナ３が形成される一辺を除いた三辺の各略中央部とに固定紐４が取り付けられている。
また、円形穴２ａには、その縁部から外方に向けて突出してなる略襟巻き状に形成されてなる襟巻部材５が取り付けられている。
【００１３】
次に、このような構成による準備作業用カバー１の設置方法について図面に基づいて説明する。
先ず、図２乃至図４に示すように、準備作業用カバー１が設置される宇宙環境試験装置１０について説明する。この宇宙環境試験装置１０は、内部を真空状態にするための図示しない送気管及び排気管を備えた横長形状の真空容器１１と、真空容器１１の内側で冷暗黒を模擬するために黒塗りされているシュラウド１２が設けられている。このシュラウド１２は、真空容器１１より小径の断面略円形を形成している。
図３に示すように、真空容器１１は、長手方向の一端面が開閉自在な開閉扉１１Ａを形成している。ここで、この開閉扉１１Ａを有する側を手前側（図２では左側、図３では下側）とし、その反対側を奥側（図２では右側、図３では上側）として以下説明する。
【００１４】
図４に示すように、宇宙環境試験（以下、単に試験とする）は、例えばシュラウド１２内に試験する任意形状をなす供試体１３を設置し、この供試体１３に対して光を照射したり、温度を与えたりするものである。この試験に使用する供試体１３は、任意の形状、大きさのものが使用され、真空容器１１の内側の底盤から起立した支持柱１５の上端部１５ａに取り付けられたベースプレート１４の上面に固定されている。ベースプレート１４には、複数のメネジが形成されており、これらメネジに螺合するボルト（図示省略）によって供試体１３が固定される。
また、ベースプレート１４としては、例えば固定された供試体１３に温度を与えるために、ベースプレート１４内に液化窒素を供給して温度制御する温調プレートなどがある。このように、ベースプレート１４より下側の領域には、配管や計測用の配線などが設置されている。
試験前後の準備作業は、ベースプレート１４の上面において供試体１３を固定する又は取り外す作業となる。この作業中は真空容器１１の開閉扉１１Ａ（図３参照）を開けた状態としておき、この開口を使用して人の出入及び資機材の搬入出を行うものとする。
【００１５】
次に、準備作業用カバー１の取り付けについて説明する。図４に示すように、カバー本体２の円形穴２ａ、すなわち襟巻部材５を、ファスナ３を開いた状態で支持柱１５の上端部１５ａに巻き付けるようにして例えば合羽を着たような状態に取り付け、カバー本体２をベースプレート１４の下面に密着させるように配置させる。このとき、ファスナ３は閉じておき、例えば襟巻部材５の外側から紐などで縛っておくようにして支持柱１５と円形穴２ａとの間の隙間をなくすようにしておくことが好ましい。また、襟巻部材５を紐などを通せるような形状にして、この紐を絞るようにしてもよい。
【００１６】
そして、図３及び図４に示すように、手前の固定紐４１、４２を除いた固定紐４３〜４８を、所定高さに位置してシュラウド１２の内側に有する例えば配管類やプレートなどの突起部（図示省略）を利用して固定する。これにより、カバー本体２の手前の一辺を除いた三辺が吊り上げられた状態で設置される。
また、カバー本体２の手前の部分（垂下部１６とする）は、開口をなす真空容器１１のフランジ面１１ａの外側下方に垂れ下がった状態にしておく。なお、垂下部１６を設けたことにより、フランジ面１１ａを保護する効果もある。
このように設置した準備作業用カバー１は、準備作業中において、例えば供試体１３をベースプレート１４に固定するボルトなどの小部品を誤って落としてしまったとき、このボルトは、カバー本体２の上部に留まった状態となるか或いは垂下部１６に沿って開口より真空容器１１の外方に落ちることなる。
また、カバー本体２に高反射率をなす白色を使用することで、反射によって照明の当った箇所の周囲の広範囲にわたって照度を確保することができることから、準備作業用カバー１上に落ちているボルトなどの小さな部品が発見しやすくなる。
このように、準備作業用カバー１は、準備作業中に使用されるものであるため、作業終了後に取り外しておく。
【００１７】
上述したように実施の形態による宇宙環境試験装置における準備作業用カバー及びその設置方法では、準備作業用カバー１は、簡易な構成であるため、宇宙環境試験装置１０内の空間において取り付け及び取り外しが簡単であり、準備作業前にベースプレート１４より下の所定領域を短時間で覆うことができる。
そして、準備作業中において例えばボルトなどの部品を落としたときにこの部品はカバー本体２上に落ちて留まっていることから容易に見つけることができ、拾うことができる。したがって、従来のベースプレート下方のように暗くて狭小且つ配管や機器類の配置により煩雑な領域に落とした部品が紛れ込むことがなくなり、探す手間を少なくできることから、作業効率を向上させることができる。
【００１８】
以上、本発明による宇宙環境試験装置における準備作業用カバー及びその設置方法の実施の形態について説明したが、本発明は上記の実施の形態に限定されるものではなく、その趣旨を逸脱しない範囲で適宜変更可能である。
例えば、実施の形態では供試体１３をベースプレート１４に固定する作業を行いやすいように準備作業用カバーの手前に垂下部１６を有するように設置しているが、これは設置例の一例であってこのような設置方法に限定されることはなく、手前の固定紐４を使用してもかまわない。
また、本実施の形態ではカバー本体２を平面視略四角形としているが、必ずしもこの形状に限定されることはなく、例えば平面視円形であってもよい。要はベースプレート１４の周囲における準備作業中に小部品を落としたときに下方の領域に入り込まないように覆いが設けられていればよいのである。
そして、円形穴２ａの形状、大きさ、位置についても任意であり、これらについては、支持柱１５とシュラウド１２との位置関係に応じて設定すればよい。
また、固定紐４の数量、取り付け位置は任意であり、その先端は円環状に形成させておいてもよく、またフック状の冶具を設けたものであってもよい。
さらに、ファスナ３の位置は任意でよく、またファスナに限定されず、例えばボタンなどの留め具であってもかまわない。
【図面の簡単な説明】
【００１９】
【図１】本発明の実施の形態による準備作業用カバーを示す平面図である。
【図２】準備作業用カバーの設置状態を示す一部破断斜視図である。
【図３】準備作業用カバーの設置状態を示す平面図である。
【図４】準備作業用カバーの設置状態を示す正面図である。
【符号の説明】
【００２０】
１  準備作業用カバー
２  カバー本体
２ａ  円形穴（開口部）
３  ファスナ（開閉手段）
４  固定紐
５  襟巻部材
１０  宇宙環境試験装置
１１  真空容器
１２  シュラウド
１３  供試体
１４  ベースプレート
１５  支持柱
【図１】
2007099217.tif 000003
【図２】
2007099217.tif 000004
【図３】
2007099217.tif 000005
【図４】
2007099217.tif 000006